(57)【特許請求の範囲】
【請求項１】
第１携帯端末の位置情報を取得する取得手段と、
前記第１携帯端末の位置を知らせるべき相手先としての第２携帯端末の識別情報を登録した登録手段と、
前記第２携帯端末が、前記第１携帯端末から所定距離内に存在するか否かを検索する検索手段と、
前記第２携帯端末が前記第１携帯端末から所定距離内に存在すると前記検索手段が検知した場合に、前記第１携帯端末が所定距離内に存在する旨を通知する画面であって、かつ、前記第１携帯端末から所定距離内の範囲に前記第２携帯端末が存在する旨を前記第１携帯端末に通知するか、前記第１携帯端末に発呼するか、前記第１携帯端末に何ら通知を行なわないか、の選択を求める画面を前記第２携帯端末に送信する送信手段と、
前記第２携帯端末から、前記第１携帯端末から所定距離内の範囲に前記第２携帯端末が存在する旨を前記第１携帯端末に通知するか、前記第１携帯端末と通話するか、前記第１携帯端末に通知しないか、の選択を受け付ける受付手段と、
前記第２携帯端末が、前記画面を介して、前記第１携帯端末から所定距離内の範囲に前記第２携帯端末が存在する旨を前記第１携帯端末に通知する、と選択した場合に、前記第２携帯端末の存在を前記第１携帯端末に通知する通知手段と、
前記第２携帯端末が、前記画面を介して、前記第１携帯端末と通話する、と選択した場合に、前記第１携帯端末と前記第２携帯端末との間の通話を確立させる処理を行なう通話確立手段と、
を備えたことを特徴とする情報処理装置。
【請求項２】
前記送信手段は、さらに、前記第１携帯端末への電子メールの送信を希望するか否かについての選択を求める前記画面を前記第２携帯端末に送信し、
前記受付手段は、前記第２携帯端末から前記第１携帯端末への電子メールの送信を希望するか否かを受付け、
さらに、
前記受付手段が、前記第２携帯端末から前記第１携帯端末への電子メールの送信を希望する、と受け付けた場合に、前記第１携帯端末の電子メールアドレスを通知することなく、前記第２携帯端末から取得したメッセージを前記第１携帯端末に転送する転送手段をさらに有することを特徴とする請求項１に記載の情報処理装置。
【請求項３】
第１携帯端末の位置情報を取得する取得ステップと、
前記第１携帯端末の位置を知らせるべき相手先としての第２携帯端末を登録する登録ステップと、
前記第２携帯端末が、前記第１携帯端末から所定距離内に存在するか否かを検索する検索ステップと、
前記第２携帯端末が前記第１携帯端末から所定距離内に存在すると、前記検索が検知した場合に、前記第１携帯端末が所定距離内に存在する旨を通知する画面であって、かつ、前記第１携帯端末から所定距離内の範囲に前記第２携帯端末が存在する旨を前記第１携帯端末に通知するか、前記第１携帯端末に発呼するか、前記第１携帯端末に何ら通知を行なわないか、の選択を求める画面を前記第２携帯端末に送信する送信ステップと、
前記第２携帯端末から、前記第１携帯端末から所定距離内の範囲に前記第２携帯端末が存在する旨を前記第１携帯端末に通知するか、前記第１携帯端末と通話するか、前記第１携帯端末に通知しないか、の選択を受け付ける受付ステップと、
前記第２携帯端末が、前記画面を介して、前記第１携帯端末から所定距離内の範囲に前記第２携帯端末が存在する旨を前記第１携帯端末に通知する、と選択した場合に、前記第２携帯端末の存在を前記第１携帯端末に通知する通知ステップと、
前記第２携帯端末が、前記画面を介して、前記第１携帯端末と通話する、と選択した場合に、前記第１携帯端末と前記第２携帯端末との間の通話を確立させる処理を行なう通話確立ステップと、
を含むことを特徴とする情報処理方法。
【請求項４】
第１携帯端末の位置情報を取得する取得ステップと、
前記第１携帯端末の位置を知らせるべき相手先としての第２携帯端末を登録する登録ステップと、
前記第２携帯端末が、前記第１携帯端末から所定距離内に存在するか否かを検索する検索ステップと、
前記第２携帯端末が前記第１携帯端末から所定距離内に存在すると、前記検索が検知した場合に、前記第１携帯端末が所定距離内に存在する旨を通知する画面であって、かつ、前記第１携帯端末から所定距離内の範囲に前記第２携帯端末が存在する旨を前記第１携帯端末に通知するか、前記第１携帯端末に発呼するか、前記第１携帯端末に何ら通知を行なわないか、の選択を求める画面を前記第２携帯端末に送信する送信ステップと、
前記第２携帯端末から、前記第１携帯端末から所定距離内の範囲に前記第２携帯端末が存在する旨を前記第１携帯端末に通知するか、前記第１携帯端末と通話するか、前記第１携帯端末に通知しないか、の選択を受け付ける受付ステップと、
前記第２携帯端末が、前記画面を介して、前記第１携帯端末から所定距離内の範囲に前記第２携帯端末が存在する旨を前記第１携帯端末に通知する、と選択した場合に、前記第２携帯端末の存在を前記第１携帯端末に通知する通知ステップと、
前記第２携帯端末が、前記画面を介して、前記第１携帯端末と通話する、と選択した場合に、前記第１携帯端末と前記第２携帯端末との間の通話を確立させる処理を行なう通話確立ステップと、
をコンピュータに実行させることを特徴とする情報処理プログラム。
【発明の詳細な説明】
【技術分野】
【０００１】
本発明は、携帯端末における情報処理技術に関する。
【背景技術】
【０００２】
上記技術分野において、特許文献１に示されているように、通信端末に登録された電話番号に基づいて、特定のエリア内において他の通信端末を検索し、検索結果を取得する技術が知られている。
【先行技術文献】
【特許文献】
【０００３】
【特許文献１】特開２００１−１９７５６８号公報
【発明の概要】
【発明が解決しようとする課題】
【０００４】
しかしながら、上記特許文献１では、他人の通信端末から発信された検索命令によって見つけられた通信端末において、検索結果が他人の通信端末に通知されることを回避するためには、検索許可／不許可を予め登録しておかなければならなかった。
【０００５】
本発明の目的は、上述の課題を解決する技術を提供することにある。
【課題を解決するための手段】
【０００６】
上記目的を達成するため、本発明に係る装置は、
第１携帯端末の位置情報を取得する取得手段と、
前記第１携帯端末の位置を知らせるべき相手先としての第２携帯端末の識別情報を登録した登録手段と、
前記第２携帯端末が、前記第１携帯端末から所定距離内に存在するか否かを検索する検索手段と、
前記第２携帯端末が前記第１携帯端末から所定距離内に存在すると前記検索手段が検知した場合に、前記第１携帯端末が所定距離内に存在する旨を通知する画面であって、かつ、前記第１携帯端末から所定距離内の範囲に前記第２携帯端末が存在する旨を前記第１携帯端末に通知するか、前記第１携帯端末に発呼するか、前記第１携帯端末に何ら通知を行なわないか、の選択を求める画面を前記第２携帯端末に送信する送信手段と、
前記第２携帯端末から、前記第１携帯端末から所定距離内の範囲に前記第２携帯端末が存在する旨を前記第１携帯端末に通知するか、前記第１携帯端末と通話するか、前記第１携帯端末に通知しないか、の選択を受け付ける受付手段と、
前記第２携帯端末が、前記画面を介して、前記第１携帯端末から所定距離内の範囲に前記第２携帯端末が存在する旨を前記第１携帯端末に通知する、と選択した場合に、前記第２携帯端末の存在を前記第１携帯端末に通知する通知手段と、
前記第２携帯端末が、前記画面を介して、前記第１携帯端末と通話する、と選択した場合に、前記第１携帯端末と前記第２携帯端末との間の通話を確立させる処理を行なう通話確立手段と、
を備えたことを特徴とする。
【０００７】
上記目的を達成するため、本発明に係る方法は、
第１携帯端末の位置情報を取得する取得ステップと、
前記第１携帯端末の位置を知らせるべき相手先としての第２携帯端末を登録する登録ステップと、
前記第２携帯端末が、前記第１携帯端末から所定距離内に存在するか否かを検索する検索ステップと、
前記第２携帯端末が前記第１携帯端末から所定距離内に存在すると、前記検索が検知した場合に、前記第１携帯端末が所定距離内に存在する旨を通知する画面であって、かつ、前記第１携帯端末から所定距離内の範囲に前記第２携帯端末が存在する旨を前記第１携帯端末に通知するか、前記第１携帯端末に発呼するか、前記第１携帯端末に何ら通知を行なわないか、の選択を求める画面を前記第２携帯端末に送信する送信ステップと、
前記第２携帯端末から、前記第１携帯端末から所定距離内の範囲に前記第２携帯端末が存在する旨を前記第１携帯端末に通知するか、前記第１携帯端末と通話するか、前記第１携帯端末に通知しないか、の選択を受け付ける受付ステップと、
前記第２携帯端末が、前記画面を介して、前記第１携帯端末から所定距離内の範囲に前記第２携帯端末が存在する旨を前記第１携帯端末に通知する、と選択した場合に、前記第２携帯端末の存在を前記第１携帯端末に通知する通知ステップと、
前記第２携帯端末が、前記画面を介して、前記第１携帯端末と通話する、と選択した場合に、前記第１携帯端末と前記第２携帯端末との間の通話を確立させる処理を行なう通話確立ステップと、
を含むことを特徴とする。
【０００８】
上記目的を達成するため、本発明に係るプログラムは、
第１携帯端末の位置情報を取得する取得ステップと、
前記第１携帯端末の位置を知らせるべき相手先としての第２携帯端末を登録する登録ステップと、
前記第２携帯端末が、前記第１携帯端末から所定距離内に存在するか否かを検索する検索ステップと、
前記第２携帯端末が前記第１携帯端末から所定距離内に存在すると、前記検索が検知した場合に、前記第１携帯端末が所定距離内に存在する旨を通知する画面であって、かつ、前記第１携帯端末から所定距離内の範囲に前記第２携帯端末が存在する旨を前記第１携帯端末に通知するか、前記第１携帯端末に発呼するか、前記第１携帯端末に何ら通知を行なわないか、の選択を求める画面を前記第２携帯端末に送信する送信ステップと、
前記第２携帯端末から、前記第１携帯端末から所定距離内の範囲に前記第２携帯端末が存在する旨を前記第１携帯端末に通知するか、前記第１携帯端末と通話するか、前記第１携帯端末に通知しないか、の選択を受け付ける受付ステップと、
前記第２携帯端末が、前記画面を介して、前記第１携帯端末から所定距離内の範囲に前記第２携帯端末が存在する旨を前記第１携帯端末に通知する、と選択した場合に、前記第２携帯端末の存在を前記第１携帯端末に通知する通知ステップと、
前記第２携帯端末が、前記画面を介して、前記第１携帯端末と通話する、と選択した場合に、前記第１携帯端末と前記第２携帯端末との間の通話を確立させる処理を行なう通話確立ステップと、
をコンピュータに実行させることを特徴とする。
【発明の効果】
【０００９】
本発明によれば、他の通信端末から発信された検索命令による検索の結果、見つけられた通信端末において、検索の許可／不許可をその都度、選択して回答することができる。
【図面の簡単な説明】
【００１０】
【図１】本発明の第１実施形態に係る情報処理装置の構成を示すブロック図である。
【図２】本発明の第２実施形態に係る情報処理装置の構成を示すブロック図である。
【図３】本発明の第２実施形態に係る情報処理装置、第１携帯端末、第２携帯端末及び基地局の手続のやり取りを示すシーケンス図である。
【図４】本発明の第２実施形態に係る情報処理装置の処理手順を示すフローチャートである。
【図５】本発明の第２実施形態に係る第１携帯端末の処理手順を示すフローチャートである。
【発明を実施するための形態】
【００１１】
以下に、本発明を実施するための形態について、図面を参照して、例示的に詳しく説明記載する。ただし、以下の実施の形態に記載されている、構成、数値、処理の流れ、機能要素などは一例に過ぎず、その変形や変更は自由であって、本発明の技術範囲を以下の記載に限定する趣旨のものではない。
【００１２】
（第１実施形態）
本発明の第１実施形態としての情報処理装置１００について、図１を用いて説明する。  図１に示すように、情報処理装置１００は、取得部１０１と、登録部１０３と、通知・受付部１０５と、通知部１０７とを備える。情報処理装置１００は、基地局１３０を介して、第１携帯端末１１０及び第２携帯端末１２０〜１２２と通信可能に接続されている。
【００１３】
情報処理装置１００の取得部１０１は、第１携帯端末１１０の位置情報を取得する。登録部１０３は、第１携帯端末１１０の位置を知らせるべき相手先としての第２携帯端末１２０〜１２２の識別情報を登録する。通知・受付部１０５は、第２携帯端末１２０〜１２２に対し、第１携帯端末１１０が所定距離内に存在する旨を通知する。同時に、通知・受付部１０５は、第１携帯端末１１０から所定距離内に、第２携帯端末１２０〜１２２が存在する旨を、第１携帯端末１１０に通知するか否かについての選択を、第２携帯端末１２０〜１２２から受け付ける。
【００１４】
そして、通知部１０７は、第２携帯端末１２０〜１２２が選択した結果に応じて、第２携帯端末１２０〜１２２の存在を第１携帯端末１１０に通知する。
【００１５】
以上の構成及び動作により、本実施形態によれば、所定距離内に第２携帯端末が存在するか否かについての第１携帯端末による検索に対し、第２携帯端末は、検索される度にユーザの指示に基づいて応答を選択できるため、応答内容を予め登録する必要がない。
【００１６】
（第２実施形態）
本発明の第２実施形態に係る情報処理装置２００について、図２を用いて説明する。
【００１７】
本実施形態に係る情報処理装置２００は、取得部２０１と、登録部２０３と、通知・受付部２０５と、通知部２０７と、データベース２０９とを有する。情報処理装置２００は、基地局２３０を介して、第１携帯端末２１０及び第２携帯端末２２０〜２２２と通信可能に接続されている。
【００１８】
取得部２０１は、第１携帯端末２１０の位置情報を、基地局２３０を中継して取得する。なお、基地局２３０は、情報処理装置２００と、第１携帯端末２１０と、第２携帯端末２２０〜２２２との通信を中継する。
【００１９】
登録部２０３は、第１携帯端末２１０から位置を知らせるべき相手先である第２携帯端末２２０〜２２２の識別情報（たとえば、電話番号リスト、携帯端末の電子メールアドレス、その他携帯端末を識別可能な情報の全てを含む）を取得し、登録する。登録部２０３は、取得した第２携帯端末２２０〜２２２の識別情報を、データベース２０９に蓄積しても良い。なお、登録部２０３は、第２携帯端末２２０〜２２２の識別情報を第１携帯端末から取得しても良い。
【００２０】
登録部２０３は、登録した第２携帯端末２２０〜２２２のうち、第１携帯端末２２０の位置から所定距離内に存在する端末を検索する。通知・受付部２０５は、第１携帯端末から所定距離内に存在する旨を、検索した第２携帯端末２２０〜２２２に対して通知する。また、通知・受付部２０５は、第２携帯端末２２０〜２２２が第１携帯端末２１０から所定距離内に存在する旨を第１携帯端末に通知することを許可するか否かの選択を第２携帯端末から受け付ける。第２携帯端末は、第１携帯端末の所定距離内に第２携帯端末が存在する旨を、第１携帯端末に通知することの許可／不許可を選択できる。また、第２携帯端末は、第１携帯端末から第２携帯端末に発信することの許可／不許可を選択できる。さらに、第２携帯端末は、第１携帯端末から第２携帯端末に対して電子メールを送信することの許可／不許可を選択できる。さらにまた、第２携帯端末は、ユーザの操作に応じて第１携帯端末に向けて作成したメッセージを、第１携帯端末に転送するように情報処理装置に指示しても良い。ここで、第１携帯端末の所定距離内に第２携帯端末が存在する旨を第１携帯端末に通知することを、第２携帯端末が許可する場合に、第１携帯端末の電話番号、又は電子メールアドレスが予め第２携帯端末に登録されている必要は無い。
【００２１】
通知部２０７は、第２携帯端末２２０〜２２２が選択した結果に応じて、第２携帯端末２２０〜２２２の存在を第１携帯端末２１０に通知する。
【００２２】
第１携帯端末２１０は、所定距離内に存在すると通知された第２携帯端末２２０〜２２２のうち、通話を希望する第２携帯端末を選択し、発呼を行なって、通話を確立する。以上の一連の処理により、第１携帯端末２１０のユーザは、自分の近くにいる知り合いを見つけ、その知り合いの了承を得て、コミュニケーションを開始することができる。
【００２３】
図３は、本実施形態に係る情報処理装置と、第１携帯端末と、第２携帯端末と、基地局との手続のやり取りを示すシーケンス図である。
【００２４】
ステップＳ３０１において、第１携帯端末は、位置情報を情報処理装置に送信する。この時点で第１携帯端末と情報処理装置との間のセッションが開始する。この前に第１携帯端末でログインを行なうことを求めても良い。次に、ステップＳ３０３において、情報処理装置は、登録された第２携帯端末が第１携帯端末から所定距離内に存在するか否かを検索する。さらに、ステップＳ３０５において、情報処理装置は、検索の結果、第１携帯端末から所定距離内に存在することを検知した第２携帯端末に対して、「第１携帯端末が所定距離内に存在する」旨を通知する。そして、ステップＳ３０７において、情報処理装置は、「第１携帯端末から所定距離内に第２携帯端末が存在する」旨を第１携帯端末に通知するか否かについて、第２携帯端末に確認する。具体的には、第１携帯端末のユーザをＡさんとすると、第２携帯端末の画面上に、「Ａさんが近くにいてあなたと連絡を取りたがっています。どうしますか？」と表示する。そして、「自分の存在を通知する」「メッセージを送る」「通話を行なう」「無視する」の４つのボタンを表示する。
【００２５】
ステップＳ３０８において、第２携帯端末はユーザの操作に基づき、「『第１携帯端末の所定距離内に第２携帯端末が存在する』旨を、第１携帯端末に対して通知するか否か」、「第１携帯端末にメッセージを送信するか否か」、または「第１携帯端末に発呼するか否か」を選択する。ステップＳ３０９において、第２携帯端末は、選択結果を情報処理装置に通知する。
【００２６】
ステップＳ３１１において、情報処理装置は、第２携帯端末の選択結果を分析する。ステップＳ３１３において、情報処理装置は、分析した選択結果に基づいて、第１携帯端末に第２携帯端末の存在を通知するか、第２携帯端末からのメッセージを送信するか、第２携帯端末と第１携帯端末との間で通話を確立させるかの何れかの処理を行なう。この間、第１携帯端末と情報処理装置との間のセッションを維持する。
【００２７】
第１携帯端末は、第２携帯端末の存在を通知されるか、第２携帯端末からのメッセージを受信するかした場合、ステップＳ３１５において、その第２携帯端末の識別情報を表示する。例えば、近くに存在する第２携帯端末のユーザ名をＢ、Ｃ、Ｄとすると「ＢさんＣさんＤさんが１キロ以内にいます。彼らもあなたが近くにいることを知っています。どうしますか？」といった表示を第１携帯端末において行なう。さらに、Ｂ、Ｃ、Ｄをリスト表示し、それぞれに対して「メッセージを送る」「通話を行なう」「何もしない」の３つのボタンを表示する。
ステップＳ３１７において、第１携帯端末は、ユーザの操作に基づき、通話相手としての第２携帯端末、またはメッセージの送信先としての第２携帯端末を選択する。ステップＳ３１９において、第１携帯端末は、情報処理装置を介して、選択した第２携帯端末に対して発呼、またはメッセージの送信を行なう。ステップＳ３２１において、第２携帯端末は、第１携帯端末からの発呼を受付け、または電子メールを受信する。第２携帯端末が第１携帯端末からの発呼を受付けた場合には、ステップＳ３２３において、第１携帯端末と第２携帯端末との通話が成立する。
【００２８】
図４は、本実施形態に係る情報処理装置の処理手順を示すフローチャートである。
【００２９】
ステップＳ４０１において、情報処理装置は、第１携帯端末の位置情報を取得する。ステップＳ４０３において、情報処理装置は、第２携帯端末の識別情報を取得する。ステップＳ４０５において、情報処理装置は、第１携帯端末の所定距離内に存在する第２携帯端末を検索する。
【００３０】
ステップＳ４０７において、情報処理装置は第１携帯端末の所定距離内に存在する旨を通知するか否か、第２携帯端末に確認する。ステップＳ４０９において、情報処理装置は、第１携帯端末に第２携帯端末が第１携帯端末の所定距離内に存在する旨を通知するか否かについて、第２携帯端末の選択を受け付ける。ステップＳ４１１において、情報処理装置は、第２携帯端末が選択した結果を分析する。ステップＳ４１３において、情報処理装置は、分析した選択の結果に応じて、第２携帯端末が第１携帯端末の所定距離内に存在する旨を第１携帯端末に送信する。また、情報処理装置は、第２携帯端末からのメッセージを第１携帯端末に送信するか、第２携帯端末からの指示に基づいて、第１携帯端末及び第２携帯端末間の通話を確立する。
【００３１】
図５は、本実施形態に係る第１携帯端末の処理手順の一例を示すフローチャートである。
【００３２】
ステップＳ５０１において、第１携帯端末は、位置情報を情報処理装置に送信する。ステップＳ５０３において、第１携帯端末は、第２携帯端末が第１携帯端末の所定距離内に存在する旨を情報処理装置から受信する。ステップＳ５０５において、第１携帯端末は、受信した第２携帯端末の中から発呼を希望する第２携帯端末を選択する。ステップＳ５０７において、第１携帯端末は、選択した第２携帯端末に発呼を行なう。
【００３３】
以上の構成及び動作により、本実施形態によれば、第２携帯端末において、第１携帯端末から存在位置を検索された場合に、存在を通知するか否かの回答を予め登録することなく、タイミングに応じて、存在を通知するか否かの選択を行なうことが可能である。また、第１携帯端末においても、所定距離内に存在する第２携帯端末を検索した上で、希望する端末を選択して通信を実行することが可能である。
【００３４】
（他の実施形態）
以上、本発明の実施形態について詳述したが、それぞれの実施形態に含まれる別々の特徴を如何様に組み合わせたシステム又は装置も、本発明の範疇に含まれる。
【００３５】
また、本発明は、複数の機器から構成されるシステムに適用されても良いし、単体の装置に適用されても良い。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。
【００３６】
［実施形態の他の表現］
上記の実施形態の一部又は全部は、以下の付記のようにも記載されうるが、以下には限られない。
【００３７】
（付記１）
第１携帯端末の位置情報を取得する取得手段と、
前記第１携帯端末の位置を知らせるべき相手先としての第２携帯端末の識別情報を登録した登録手段と、
前記第２携帯端末に対して、前記第１携帯端末が所定距離内に存在する旨を通知すると同時に、前記第１携帯端末から所定距離内の範囲に前記第２携帯端末が存在する旨を前記第１携帯端末に通知するか否かについての選択を、前記第２携帯端末から受け付ける通知・受付手段と、
前記選択の結果に応じて、前記第２携帯端末の存在を前記第１携帯端末に通知する通知手段と
を備えたことを特徴とする情報処理装置。
（付記２）
前記通知・受付手段は、前記第１携帯端末との通話を希望するか否かについての選択を前記第２携帯端末から受け付け、通話を希望すると受け付けた場合には、前記第１携帯端末と前記第２携帯端末との通話を確立することを特徴とする付記１に記載の情報処理装置。
（付記３）
前記通知・受付手段は、前記第２携帯端末に対して、前記第１携帯端末の電話番号を通知することなく、前記第１携帯端末と前記第２携帯端末との通話を確立することを特徴とする付記２に記載の情報処理装置。
（付記４）
前記通知・受付手段は、前記第１携帯端末への電子メールの送信を希望するか否かについての選択を前記第２携帯端末から受け付け、電子メールの送信を希望すると受け付けた場合には、前記第２携帯端末から取得したメッセージを前記第１携帯端末に転送することを特徴とする付記１に記載の情報処理装置。
（付記５）
前記通知・受付手段は、前記第２携帯端末に対して、前記第１携帯端末の電子メールアドレスを通知することなく、前記第２携帯端末から取得したメッセージを前記第１携帯端末に転送することを特徴とする付記１に記載の情報処理装置。
（付記６）
第１携帯端末の位置情報を取得する取得ステップと、
前記第１携帯端末の位置を知らせるべき相手先としての第２携帯端末を登録する登録ステップと、
前記第２携帯端末に対して、前記第１携帯端末が所定距離内に存在する旨を通知すると同時に、前記第１携帯端末から所定距離内の範囲に前記第２携帯端末が存在する旨を前記第１携帯端末に通知するか否かについての選択を、前記第２携帯端末から受けつける通知・受付ステップと、
前記選択の結果に応じて、前記第２携帯端末の存在を前記第１携帯端末に通知する通知ステップと、
を備えたことを特徴とする情報処理方法。
（付記７）
第１携帯端末の位置情報を取得する取得ステップと、
前記第１携帯端末の位置を知らせるべき相手先としての第２携帯端末を登録する登録ステップと、
前記第２携帯端末に対して、前記第１携帯端末が所定距離内に存在する旨を通知すると同時に、前記第１携帯端末から所定距離内の範囲に前記第２携帯端末が存在する旨を前記第１携帯端末に通知するか否かについての選択を、前記第２携帯端末から受けつける通知・受付ステップと、
前記選択の結果に応じて、前記第２携帯端末の存在を前記第１携帯端末に通知する通知ステップと、
をコンピュータに実行させることを特徴とする情報処理プログラム。
【図１】
0005382547.tif 000002
【図２】
0005382547.tif 000003
【図３】
0005382547.tif 000004
【図４】
0005382547.tif 000005
【図５】
0005382547.tif 000006